(57)【特許請求の範囲】
【請求項１】
端子金具を収容するキャビティが設けられ相手側コネクタと嵌合可能なコネクタハウジングと、
前記コネクタハウジングにおける嵌合面と反対側のカバー装着面側に装着され前記コネクタハウジングから引き出された電線を覆うカバーと、
前記カバーの両側面に撓み可能に設けられて前記コネクタハウジング側に突出することで前記カバーを前記コネクタハウジングに係止する係止片と、
前記コネクタハウジングには、前記係止片が係止する被係止部が設けられており、
前記コネクタハウジングに設けられ、前記係止片の一方が係止を解除されて前記カバーが前記コネクタハウジングに対して傾いた状態にされたときに、前記係止片の他方が解除方向に押し込まれると前記他方の係止片が当接する保護壁とを備えており、
前記保護壁には、前記被係止部からの距離が徐々に大きくなるように傾斜する傾斜部が設けられているコネクタ。
【請求項２】
前記コネクタハウジングには、前記カバーを前記相手側コネクタとの嵌合方向に対して交差する方向にスライドして装着するスライドガイド部が設けられると共に、そのスライドの終端位置を規制するストッパ部が前記カバー内に位置するように設けられ、
前記保護壁は前記ストッパ部と一体に設けられている請求項１に記載のコネクタ。
【請求項３】
前記コネクタハウジングのうち前記カバー装着面には前記キャビティと連なる複数の電線収容筒が設けられ、前記保護壁は、前記電線収容筒の間を繋ぐように設けられた補強リブと一体となるように設けられている請求項１または請求項２に記載のコネクタ。
【発明の詳細な説明】
【技術分野】
【０００１】
本明細書に開示される技術は、コネクタに関する。
【背景技術】
【０００２】
コネクタハウジングから引き出された電線の引き出し方向を変えるために、コネクタハウジングにカバーを取り付けることがある。例えば、特開２０１４−９９２６７号公報（下記特許文献１）には、端子金具を収容するキャビティが設けられたコネクタハウジングと、コネクタハウジングに装着されるカバーと、を備えたコネクタが開示されている。このコネクタでは、コネクタハウジングは全体として横長に形成され、その長辺方向に並ぶようにキャビティが設けられている。そして、コネクタハウジングの長辺方向に設けられたガイド受け部にカバーに設けられたガイドを嵌合させて移動させることで、カバーをコネクタハウジングに装着する。そして、カバーに設けられた弾性的に変形可能な装着片がコネクタハウジングに係止することで、カバーが所定位置に装着されている。
【先行技術文献】
【特許文献】
【０００３】
【特許文献１】特開２０１４−９９２６７号公報
【発明の概要】
【発明が解決しようとする課題】
【０００４】
ところで、特開２０１４−９９２６７号公報（上記特許文献１）に示されるコネクタでは、カバーを外すときには、片側の装着片を治具によってキャビティ側に弾性変形させた状態でカバーをずらして若干斜めにした状態でもう片側の装着片を治具によってキャビティ側に弾性変形させることで、係止状態を解除する。この際に、キャビティ側に装着片が押し込まれすぎて、装着片が折れることがある。
【課題を解決するための手段】
【０００５】
本明細書で開示されるコネクタは、端子金具を収容するキャビティが設けられ相手側コネクタと嵌合可能なコネクタハウジングと、前記コネクタハウジングにおける嵌合面と反対側のカバー装着面側に装着され前記コネクタハウジングから引き出された電線を覆うカバーと、前記カバーの両側面に撓み可能に設けられて前記コネクタハウジング側に突出することで前記カバーを前記コネクタハウジングに係止する係止片と、前記コネクタハウジングに設けられ、前記係止片の一方が係止を解除されて前記カバーが前記コネクタハウジングに対して傾いた状態にされたときに、前記係止片の他方が解除方向に押し込まれると前記他方の係止片が当接する保護壁とを備える。
【０００６】
このような構成によると、係止片が解除のために押し込まれた場合であっても、一定以上押し込まれると係止片が保護壁に当接してそれ以上押し込まれなくなる。そのため、係止片が過度に撓んで折れることが抑制される。特に、一方の係止片だけ係止状態を解除されてカバーがコネクタハウジングに対して傾いた状態にされた時にも、確実に係止片に保護壁が当接するために、想定以上に係止片が撓んで折れることが抑制される。
【０００７】
本明細書に開示されるコネクタの実施の態様として、以下の構成としてもよい。
前記コネクタハウジングには、前記カバーを前記相手側コネクタとの嵌合方向に対して交差する方向にスライドして装着するスライドガイド部が設けられると共に、そのスライドの終端位置を規制するストッパ部が前記カバー内に位置するように設けられ、前記保護壁は前記ストッパ部と一体に設けられている構成としても良い。
このような構成によると、ストッパ部から保護壁がつながるように設けられていることで、保護壁の強度を上げることができる。
【０００８】
前記コネクタハウジングのうち前記カバー装着面には前記キャビティと連なる複数の電線収容筒が設けられ、前記保護壁は、前記電線収容筒の間を繋ぐように設けられた補強リブと一体となるように設けられている構成としても良い。
このような構成によると、電線収容筒と一体に設けられた補強リブによって保護壁が補強されることになり、保護壁の強度を上げることができる。
【発明の効果】
【０００９】
本明細書に開示されたコネクタによれば、係止片の撓みすぎを抑制することができる。
【図面の簡単な説明】
【００１０】
【図１】実施形態に係るコネクタの正面図
【図２】コネクタの平面図
【図３】コネクタの側面図
【図４】コネクタハウジングの嵌合面側から見た図
【図５】コネクタハウジングの斜視図
【図６】コネクタハウジングの斜視図
【図７】図１におけるＡ‐Ａ線における断面図
【図８】図１におけるＡ‐Ａ線における一方の係止片を治具で解除した状態の断面図
【図９】図８におけるＩＸ位置での部分拡大断面図
【図１０】図８におけるＸ位置での部分拡大断面図
【図１１】図１におけるＡ‐Ａ線における一方の係止片が解除された状態でカバーをコネクタハウジングに対して傾けた状態の断面図
【図１２】図１１におけるＸＩＩ位置での部分拡大断面図
【図１３】図１１におけるＸＩＩＩ位置での部分拡大断面図
【図１４】図１におけるＡ‐Ａ線における他方の係止片を治具で解除した状態の断面図
【図１５】図１４におけるＸＶ位置での部分拡大断面図
【図１６】図１におけるＡ‐Ａ線における両方の係止片を解除した状態の断面図
【発明を実施するための形態】
【００１１】
＜実施形態＞
実施形態について図１から図１６を参照して説明する。
本実施形態のコネクタＣは、図１に示すように、雌型のコネクタハウジング１０と、コネクタハウジング１０から引き出される電線を覆うカバー５０とを備えて構成されている。以下では、前後方向については、コネクタＣと相手側コネクタとの嵌合方向を前方とし、離脱方向を後方として、左右方向については図１を基準として、上下方向については図７を基準として説明する。
【００１２】
コネクタハウジング１０は、合成樹脂製であり、左右方向に横長な形態をなしている。また、コネクタハウジング１０は、図４に示すように、端子金具を収容可能なキャビティ１３が形成されたコネクタハウジング本体１１と、その外周に設けられる角筒状の外周部２１とを備えている。コネクタハウジング本体１１と、外周部２１の間には、嵌合時に相手側コネクタが進入してくる嵌合空間Ｋとなる。
【００１３】
キャビティ１３は嵌合方向（前後両方向）へ開口しており、後方（嵌合面と反対側の方向）から端子金具を挿入可能であり、嵌合面側である前方から相手コネクタ内に収容された相手側の端子金具が進入可能である。図４に示すように、キャビティ１３は大きさの異なる３種類が混在して設けられており、コネクタハウジング１０の長辺側の両端部には大型のキャビティ１３Ａが横並びの配置で設けられ、これらの間に挟まれる領域には中型の端子金具を収容する複数の中型キャビティ１３Ｂが配置されている。また、中型キャビティ１３Ｂ及び大型キャビティ１３Ａの上方には、小型の端子金具を収容する複数の小型キャビティ１３Ｃが配置されている。なお、以下において、キャビティ１３Ａ〜１３Ｃについて、共通の構成について説明する場合には、キャビティ１３として説明する。
【００１４】
そして、図５に示すように、各キャビティ１３に連なるようにして、コネクタハウジング１０の後面１０Ａからは、円筒状の電線収容筒１５が突設している。電線収容筒１５も、キャビティ１３と同様に大きさの異なる３種類が混在して設けられており、各キャビティ１３Ａ〜１３Ｃに合わせて、電線収容筒１５Ａ〜１５Ｃが設けられている。また、隣接する大型の電線収容筒１５Ａの間には、図６に示すように、大型の電線収容筒１５Ａと一体となるように保護リブ１７が設けられている。
【００１５】
図３に示すように、外周部２１における両長辺側は内外壁による中空構造となっている。この中空部は平板状のスライダー４０を収容するスライダー収容室２３となっている。両スライダー収容室２３は長辺側の両端部がそれぞれ開口し、スライダー４０を両開口から選択的に差し込み可能としている。そして、両スライダー収容室２３を構成する壁面の上縁部はコネクタハウジング本体１１の上面よりも上方へ突出して張出形成された張出部２５とされている。そして、この張出部２５における内側（前側）の壁面には相互に向き合うようにして一対のガイド受け部２７が上下方向（図示横向き）に形成されている。両ガイド受け部２７はコネクタハウジング１の左右方向に沿って形成されている。ガイド受け部２７は、張出部２５とコネクタハウジング１０の後面１０Ａとの間が溝状になることで設けられている。
【００１６】
図５、図７等に示すように、張出部２５において、左右方向に関する中央部には張出し方向のほぼ全範囲でかつ所定幅範囲に亘って切り欠き部２９が切り欠き形成されている。後記するカバー５０に設けられたレバー７０（図１参照）に形成されたギヤ７７はこの切り欠き部２９を通してスライダー収容室２３内に進入可能である。
【００１７】
また、図５、図７等に示すように、張出部２５には切り欠き部２９を挟んで一対の逃がし部３１が左右対称位置に切り欠き形成されている。両逃がし部３１は長手方向に関する寸法が切り欠き部２９に比較して短く形成されているとともに、図５、図７等に示すように、逃がし部３１の左右開口縁には一対の突縁３３が後方に突設している。
【００１８】
また、図５、図７等に示すように、コネクタハウジング１０の後面１０Ａにおける左右両端部には短辺方向に離間して一対のストッパ部３５が後方へ突出して形成されている。図７に示すように、両ストッパ部３５は、カバー５０がコネクタハウジング１０に正規の状態で組み付けられたときに、カバー５０の短辺側の内面と当接してカバー５０の一方向（図示左方）への移動を阻止する。
【００１９】
図７等に示すように、上側のストッパ部３５の上端部から長辺方向（コネクタハウジング１０の中心方向）に一体となって延びるように左右両側に保護壁３７が設けられている。保護壁３７は、後記する正規の状態で組み付けられたカバー５０の側面と平行でストッパ部３５から連なる連結部３７Ａと、連結部３７Ａから後方（電線収容筒１５側）に向かうように連結部３７Ａに対して斜めになっている傾斜部３７Ｂと、後記する正規の状態で組み付けられたカバー５０の側面と平行であって隣接する電線収容筒１５Ｃの間を繋ぐ三角形状の補強リブ３９と一体になった補強部３７Ｃとを備えている。補強リブ３９は、電線収容筒１５よりも後方に突出しており、ストッパ部３５や保護壁３７と同じ高さになるようになっている。なお、保護壁３７と突縁３３との間には、後記する係止片５５が撓み可能な空間が設けられており、係止片５５が撓んだ状態で係止突起５５Ａが保護壁３７と突縁３３の間を通過可能となっている。
【００２０】
カバー５０は、図１に示すように、コネクタハウジング１０を後方から覆うような形状に形成され、コネクタハウジング１０と対向する側（前側）の面と図示左側の側面とが開口するように形成されている。カバー５０はコネクタハウジング１０の上面から引き出された電線束を内部に収容することができる。カバー５０はコネクタハウジング１０に対し左右方向の向きを変えて装着することができ、これによってカバー５０はその装着方向にしたがって電線の配索方向を選択的に向き換えする機能が発揮される。
【００２１】
図３に示すように、カバー５０の長手方向の両側面において、その下縁部には長手方向に沿ってガイド部５１が設けられている。ガイド部５１は、コネクタハウジング１０のガイド受け部２７に嵌め込まれることで、ガイド受け部２７に沿って移動可能とされている。また、ガイド部５１の後方には、ガイド部５１の後面から一体になって外方へ向けて開口する断面略Ｃ字状をなす摺動溝５３が形成されている。摺動溝５３はコネクタハウジング１０の張出部２５に対して同張出部２５に沿って移動できるように嵌め込んでいる。つまり、ガイド部５１はガイド受け部２７に嵌め込まれ、張出部２５が摺動溝５３内に嵌め込まれた状態で、カバー５０を嵌合方向と直交する方向へ移動案内することができる。
【００２２】
また、図７に示すように、摺動溝５３内の中央部でやや図示左寄りの位置には係止片５５が横向きに設けられている。係止片５５は左右方向に沿って片持ち状に延出し、肉厚方向（カバー５０の短辺方向）へ撓み可能に形成されている。係止片５５は外側（前後方向）に向かって突出する係止突起５５Ａを有しており、係止突起５５Ａが長辺方向の中央側の突縁３３Ａに係止することで、カバー５０をコネクタハウジング１０に対して係止する。
【００２３】
図１等に示すように、カバー５０の長手方向の両側面にはレバー７０を取り付けるための一対の支軸５７が一体に突出形成されている。カバー５０の上面の図示右側はレバー７０が待機位置にあるときの干渉を回避するために、緩やかな下り勾配をもって形成されており、その右端部にはレバー７０を待機位置でロックするためのレバーロック部５９（図２参照）が突設されている。
【００２４】
図１、図２等に示すように、レバー７０は一対の側板７１と両側板７１の先端部同士を連結する操作部７３とから構成されている。両側板７１の中央部には取付孔７５が貫通し、支軸５７へ嵌め込まれることにより、レバー７０は抜け止めされた状態で支軸５７周りに回動操作可能となっている。
【００２５】
レバー７０の側板７１の外縁はレバー７０の回動中心を中心とする円弧形状に形成されている。また、両側板７１の外面側の周縁部には内面側の肉を残しつつ計３つのギヤ７７が均一ピッチで刻設されている。また、各ギヤ７７と同一周面上にはストッパ歯７９が形成されている。このストッパ歯７９（図７参照）は、レバー７０が待機位置にあるときにスライダー４０の後縁部に設けられたラック歯と当接することで、スライダー４０が不用意に移動しないようにスライダー４０の移動を阻止している。
【００２６】
次に、カバー５０のコネクタハウジング１０からの外し方について、図７から図１６を用いて説明する。図７に示すように、カバー５０がコネクタハウジング１０に正規の状態で装着されている場合には、カバー５０の２つの係止突起５５Ａがコネクタハウジング１０の中央側の突縁３３Ａに係止することで、カバー５０が図示右側に移動することが抑制されている。また、カバー５０の短辺側の内壁がストッパ部３５と当接することで、図示左側に移動することが抑制されている。カバー５０のガイド部５１と摺動溝５３とが、コネクタハウジング１０のガイド受け部２７と張出部２５と嵌合し合うことで、カバー５０が上下方向に移動することも抑制されている。
【００２７】
このような状態から、カバー５０をコネクタハウジング１０から取り外すためには、カバー５０を右側に移動可能とする必要がある。まず、図８に示すように、下側（電線収容筒１５Ａ側）の係止突起５５Ａを治具によって内側（上側）に押し込むことで、図９に示すように、係止片５５が撓み、係止突起５５Ａが下側の中央側の突縁３３Ａから解除される。なお、係止片５５は保護リブ１７に当接することで過剰に撓むことが抑制されている。また、この状態において、図１０に示すように右上のカバー５０と突縁３３との間には隙間Ｓが設けられている。この隙間Ｓは、コネクタハウジング１０とカバー５０の成形誤差等を許容するために設けられたものである。
【００２８】
図８に示すように、下側の係止突起５５Ａが中央側の突縁３３Ａから解除された状態から、図１１に示すように右上の隙間Ｓを埋めるように若干右上側に傾けられる。具体的には、図１３に示すように、右上においてコネクタハウジング１０とカバー５０との間の隙間Ｓがなくなって、カバー５０がコネクタハウジング１０の突縁３３に当接した状態とされる。このようにコネクタハウジング１０に対してカバー５０が傾いた状態とすることで、図１２に示すように、下側の係止突起５５Ａが中央側の突縁３３Ａに乗り上げた状態で保持される。
【００２９】
このように下側の係止片５５が係止を解除されて、カバー５０がコネクタハウジング１０に対して傾いた状態とされているときに、図１４に示すように、上側（電線収容筒１５Ｃ側）の係止突起５５Ａを治具によって内側（下側）に押し込むことで、図１５に示すように、係止片５５が撓み、係止突起５５Ａが上側の中央側の突縁３３Ａから解除される。この際に、係止片５５の先端部は治具によって押されると、保護壁３７の傾斜部３７Ｂに沿って撓み、補強部３７Ｃに当接することで撓みが停止する。つまり、係止片５５は治具によって解除方向（内側）に押し込まれる際に、保護壁３７に当接することで係止片５５が過撓みすることが抑制されている。
【００３０】
そして、図１６に示すように、両方の係止片５５が係止を解除された状態で、カバー５０が右側に移動させられて、係止突起５５Ａが上側の中央側の突縁３３Ａに乗り上げて、解除状態が維持される。この状態から、カバー５０がさらに右側に移動させられて適宜治具により係止片５５が解除方向（内側）に押し込まれることで、コネクタハウジング１０から取り外される。
【００３１】
以上のように本実施形態では、一方の係止片５５だけ係止状態を解除されてカバー５０がコネクタハウジング１０に対して傾いた状態にされた時に、他方の係止片５５が治具によって押し込まれた場合であっても、一定以上押し込まれると確実に係止片５５が保護壁３７に当接し、それ以上押し込まれなくなる。そのため、係止片５５が過度に撓んで折れることが抑制される。また、保護壁３７がストッパ部３５や補強リブ３９と一体とされているため、保護壁３７の強度を上げることができる。
【００３２】
＜他の実施形態＞
本明細書で開示される技術は上記記述及び図面によって説明した実施形態に限定されるものではなく、例えば次のような種々の態様も含まれる。
（１）上記実施形態では、保護壁３７は、ストッパ部３５や補強リブ３９と一体となっていたが、いずれか一方のみと一体とされていても良いし、単独で設けられていても良い。
（２）上記実施形態では、ガイド部５１はガイド受け部２７に嵌め込まれ、張出部２５が摺動溝５３内に嵌め込まれた状態で、カバー５０が左右にスライド移動することでカバー５０が装着されたが、係止片を用いる他の方法でカバー５０がコネクタハウジング１０に装着されていても良い。
【符号の説明】
【００３３】
１０…コネクタハウジング
１０Ａ…後面（カバー装着面）
１３（１３Ａ〜１３Ｃ）…キャビティ
１５（１５Ａ〜１５Ｃ）…電線収容筒
２５…張出部（スライドガイド部）
２７…ガイド受け部（スライドガイド部）
３１…逃がし部
３３…突縁
３３Ａ…中央側の突縁
３５…ストッパ部
３７…保護壁
３７Ａ…連結部
３７Ｂ…傾斜部
３７Ｃ…補強部
３９…補強リブ
５０…カバー
５１…ガイド部
５３…摺動溝
５５…係止片
５５Ａ…係止突起
Ｃ…コネクタ
【図１】
0006358102.tif 000002
【図２】
0006358102.tif 000003
【図３】
0006358102.tif 000004
【図４】
0006358102.tif 000005
【図５】
0006358102.tif 000006
【図６】
0006358102.tif 000007
【図７】
0006358102.tif 000008
【図８】
0006358102.tif 000009
【図９】
0006358102.tif 000010
【図１０】
0006358102.tif 000011
【図１１】
0006358102.tif 000012
【図１２】
0006358102.tif 000013
【図１３】
0006358102.tif 000014
【図１４】
0006358102.tif 000015
【図１５】
0006358102.tif 000016
【図１６】
0006358102.tif 000017